(57)【要約】  洗濯機の制御方法であって、洗濯機の洗浄プログラムは洗浄過程と浸け置き過程を含む。前記洗浄プログラムは少なくとも２回の洗浄過程を含み、隣り合う洗浄過程の間に浸け置き過程を１回実行する。洗浄過程の後に浸け置き処理を実行することで、洗浄過程において相対的に長い回転及び洗浄時間を経るため、上下の負荷は交互に反転して洗剤及び水と融合する。これにより、負荷の汚れが洗剤及び水と反応して汚れが効果的に溶解することから、浸け置き過程の役割が効果的に発揮され、洗浄率が向上する。且つ、洗濯機は洗浄率及び消費電力量双方の要求を同時に満たすことが可能となる。よって、従来の洗濯機は洗浄率と消費電力量のいずれかしか満たせないとの技術的課題が解決される。【選択図】図２
2020508104.tif 000002
【特許請求の範囲】
【請求項１】
洗濯機の洗浄プログラムが洗浄過程と浸け置き過程を含む洗濯機の制御方法において、
前記洗浄プログラムは少なくとも２回の洗浄過程を含み、隣り合う洗浄過程の間に浸け置き過程を１回実行することを特徴とする方法。
【請求項２】
洗浄過程では、洗濯機が少なくとも高洗浄回転数となる速度で回転し、及び／又は、中洗浄回転数となる速度で回転し、及び／又は、低洗浄回転数となる速度で回転するよう制御し、
好ましくは、洗浄プログラムは３回の洗浄過程を含み、１回目の洗浄過程では、洗剤及び／又は粉末洗剤が速やかに溶解して内槽内の負荷と十分に接触するよう、洗濯機が高洗浄回転数となる速度で回転するよう制御し、２回目の洗浄過程では、洗濯機が中洗浄回転数となる速度で回転するよう制御し、３回目の洗浄過程では、洗濯機が低洗浄回転数となる速度で回転するよう制御することを特徴とする請求項１に記載の洗濯機の制御方法。
【請求項３】
前記制御方法は、
Ｓ１０１：洗濯機を起動して洗浄プログラムを開始し、累計値ｎを１に初期化するステップと、
Ｓ１０２：洗濯機がｎ回目の洗浄過程に入るよう制御し、ｎ回目の洗浄過程が完了するとステップＳ１０３を実行するステップと、
Ｓ１０３：洗濯機がｎ回目の浸け置き過程に入るよう制御し、ｎ回目の浸け置き過程が完了するとステップＳ１０４を実行するステップと、
Ｓ１０４：累計値ｎが所定の値に等しいか否かを判断し、等しくない場合には累計値ｎを１回インクリメントして再びステップＳ１０２を実行し、等しい場合には、洗濯機の洗浄プログラムを完了して次のプログラムに入るステップ、を含むことを特徴とする請求項１又は２に記載の洗濯機の制御方法。
【請求項４】
前記浸け置き過程は異なる水流強度を有する浸け置きブロックを合わせて構成され、水流強度は、モータの回転数及び／又はパルセータの回転停止比に基づき調整されることを特徴とする請求項１〜３のいずれか１項に記載の洗濯機の制御方法。
【請求項５】
前記浸け置き過程は、浸け置きＡブロック、浸け置きＢブロック及び浸け置きＣブロックのうちの１つ又はこれらの任意の組み合わせを含み、浸け置きＡブロック、浸け置きＢブロック及び浸け置きＣブロックは、順次又は任意の順序で実行し、浸け置きＡブロック、浸け置きＢブロック及び浸け置きＣブロックはそれぞれ異なる水流強度を有し、
好ましくは、洗浄プログラムは３回の洗浄過程を含み、各洗浄過程の後にそれぞれ対応して浸け置き過程を１回実行し、１回目の浸け置き過程は浸け置きＡブロックと浸け置きＢブロックを合わせて構成されるか、或いは、１回目の浸け置き過程は浸け置きＣブロックであり、２回目の浸け置き過程と３回目の浸け置き過程はいずれも浸け置きＣブロックであることを特徴とする請求項４に記載の洗濯機の制御方法。
【請求項６】
前記浸け置きＡブロック、浸け置きＢブロック、浸け置きＣブロックの水流強度は、浸け置きＡブロックの水流強度＞浸け置きＢブロックの水流強度＞浸け置きＣブロックの水流強度となるよう、モータの回転数及び／又はパルセータの回転停止比に基づいて調整されることを特徴とする請求項５に記載の洗濯機の制御方法。
【請求項７】
前記浸け置きＡブロック、浸け置きＢブロック、浸け置きＣブロックにおけるパルセータの回転停止比をそれぞれＴ１、Ｔ２、Ｔ３とすると、Ｔ１、Ｔ２、Ｔ３は互いに異なっていることを特徴とする請求項５又は６に記載の洗濯機の制御方法。
【請求項８】
浸け置きＡブロックにおけるパルセータの回転時間は浸け置きＢブロックにおけるパルセータの回転時間以上であり、浸け置きＡブロックにおけるパルセータの停止時間は浸け置きＢブロックにおけるパルセータの停止時間以下であり、
浸け置きＢブロックにおけるパルセータの回転時間は浸け置きＣブロックにおけるパルセータの回転時間以上であり、浸け置きＢブロックにおけるパルセータの停止時間は浸け置きＣブロックにおけるパルセータの停止時間以下であることを特徴とする請求項７に記載の洗濯機の制御方法。
【請求項９】
１回目の洗浄過程の前に、洗濯機が浸け置き過程を実行するよう制御することを特徴とする請求項２〜８のいずれか１項に記載の洗濯機の制御方法。
【請求項１０】
前記制御方法は、
Ｓ２０１：洗濯機を起動して洗浄プログラムを開始し、累計値ｍを１に初期化するステップと、
Ｓ２０２：洗濯機がｍ回目の浸け置き過程に入るよう制御し、ｍ回目の浸け置き過程が完了するとステップＳ２０３を実行するステップと、
Ｓ２０３：洗濯機がｍ回目の洗浄過程に入るよう制御し、ｍ回目の洗浄過程が完了するとステップＳ２０４を実行するステップと、
Ｓ２０４：累計値ｍが所定の値に等しいか否かを判断し、等しくない場合には累計値ｍを１回インクリメントして再びステップＳ２０２又はステップＳ２０３を実行し、等しい場合には洗濯機の洗浄プログラムを完了して次のプログラムに入るステップ、を含むことを特徴とする請求項９に記載の洗濯機の制御方法。
【発明の詳細な説明】
【技術分野】
【０００１】
本発明は家電分野に属し、具体的には、洗濯機の制御方法に関する。
【背景技術】
【０００２】
洗濯機とは、電気エネルギー発生機器の作用を利用して衣類を洗浄するクリーニング家電である。科学技術の発展と技術の進歩に伴って、洗濯機の機能もますます強化されており、洗濯機は大多数の家庭において必要不可欠な家電製品となっている。ところで、従来の一部の洗濯機では単一的な洗浄方式を採用している。洗濯機は給水を完了すると、洗浄槽が止まることなく持続的に回転する。そして、水流によって衣類を終止打ち付け、摩擦を生じさせることで、衣類の洗浄過程を完了する。
【０００３】
また、一部の洗濯機では、衣類のクリーニング効果をより良好にするとの目的を達成するために、衣類を洗浄する前に衣類を浸け置き処理する。一般的に、浸け置き時間は最長で３０分である。通常、浸け置き過程では、異なる回転停止比を有する複数の浸け置き方式を組み合わせるか、同一の回転停止比の浸け置きを複数回行うことで衣類を十分に浸け置きした後、衣類の洗浄過程を実行する。しかし、このような洗浄モードでは浸け置き過程における回転時間が短く、更には浸け置き過程が洗浄過程の前であるため、洗濯機の洗浄槽内で上層に位置する負荷は反転が困難ないしは不可能であり、浸け置き効果に劣る。その結果、洗濯機全体の洗浄率が影響を受け、浸け置き過程の役割を最大限発揮させることができない。また、限られた時間内で洗浄槽内の負荷を洗剤及び水と融合させることが不可能なため、自ずと後続の洗浄過程における洗浄難度が増してしまう。同じ洗浄効果を達成しようとする場合、融合が十分でない負荷は融合が十分な負荷に比べてより多くの電気エネルギー消費量を必要とする。
【０００４】
そのため、従来の洗濯機は、洗浄率及び消費電力量双方の要求を同時に満たすことができず、ユーザニーズに応えられない。
【０００５】
これらに鑑みて、本発明を提案する。
【発明の概要】
【発明が解決しようとする課題】
【０００６】
本発明は、従来技術における瑕疵を解消し、洗濯機が洗浄率及び消費電力量双方の要求を同時に満たし、従来の洗濯機では洗浄率と消費電力量のいずれか一方の要求しか満たせないとの技術的課題を解決する洗濯機の制御方法を提供することを解決すべき技術的課題とする。
【課題を解決するための手段】
【０００７】
上記の技術的課題を解決すべく、本発明で採用する技術方案の基本思想について以下に述べる。
【０００８】
本発明は、洗濯機の洗浄プログラムが洗浄過程と浸け置き過程を含む洗濯機の制御方法であって、前記洗浄プログラムは少なくとも２回の洗浄過程を含み、隣り合う洗浄過程の間に浸け置き過程を１回実行することを特徴とする方法を提供する。
【０００９】
更に、浄過程では、洗濯機が少なくとも高洗浄回転数となる速度で回転し、及び／又は、中洗浄回転数となる速度で回転し、及び／又は、低洗浄回転数となる速度で回転するよう制御し、好ましくは、洗浄プログラムは３回の洗浄過程を含み、１回目の洗浄過程では、洗剤及び／又は粉末洗剤が速やかに溶解して内槽内の負荷と十分に接触するよう、洗濯機が高洗浄回転数となる速度で回転するよう制御し、２回目の洗浄過程では、洗濯機が中洗浄回転数となる速度で回転するよう制御し、３回目の洗浄過程では、洗濯機が低洗浄回転数となる速度で回転するよう制御する。
【００１０】
更に、前記制御方法は、Ｓ１０１：洗濯機を起動して洗浄プログラムを開始し、累計値ｎを１に初期化するステップと、Ｓ１０２：洗濯機がｎ回目の洗浄過程に入るよう制御し、ｎ回目の洗浄過程が完了するとステップＳ１０３を実行するステップと、Ｓ１０３：洗濯機がｎ回目の浸け置き過程に入るよう制御し、ｎ回目の浸け置き過程が完了するとステップＳ１０４を実行するステップと、Ｓ１０４：累計値ｎが所定の値に等しいか否かを判断し、等しくない場合には累計値ｎを１回インクリメントして再びステップＳ１０２を実行し、等しい場合には、洗濯機の洗浄プログラムを完了して次のプログラムに入るステップ、を含む。
【００１１】
更に、前記浸け置き過程は異なる水流強度を有する浸け置きブロックを合わせて構成され、水流強度は、モータの回転数及び／又はパルセータの回転停止比に基づき調整される。
【００１２】
更に、前記浸け置き過程は、浸け置きＡブロック、浸け置きＢブロック及び浸け置きＣブロックのうちの１つ又はこれらの任意の組み合わせを含み、浸け置きＡブロック、浸け置きＢブロック及び浸け置きＣブロックは、順次又は任意の順序で実行し、浸け置きＡブロック、浸け置きＢブロック及び浸け置きＣブロックはそれぞれ異なる水流強度を有し、好ましくは、洗浄プログラムは３回の洗浄過程を含み、各洗浄過程の後にそれぞれ対応して浸け置き過程を１回実行し、１回目の浸け置き過程は浸け置きＡブロックと浸け置きＢブロックを合わせて構成されるか、或いは、１回目の浸け置き過程は浸け置きＣブロックであり、２回目の浸け置き過程と３回目の浸け置き過程はいずれも浸け置きＣブロックである。
【００１３】
更に、前記浸け置きＡブロック、浸け置きＢブロック、浸け置きＣブロックの水流強度は、浸け置きＡブロックの水流強度＞浸け置きＢブロックの水流強度＞浸け置きＣブロックの水流強度となるよう、モータの回転数及び／又はパルセータの回転停止比に基づいて調整される。
【００１４】
更に、前記浸け置きＡブロック、浸け置きＢブロック、浸け置きＣブロックにおけるパルセータの回転停止比をそれぞれＴ１、Ｔ２、Ｔ３とすると、Ｔ１、Ｔ２、Ｔ３は互いに異なっている。
【００１５】
更に、浸け置きＡブロックにおけるパルセータの回転時間は浸け置きＢブロックにおけるパルセータの回転時間以上であり、浸け置きＡブロックにおけるパルセータの停止時間は浸け置きＢブロックにおけるパルセータの停止時間以下であり、浸け置きＢブロックにおけるパルセータの回転時間は浸け置きＣブロックにおけるパルセータの回転時間以上であり、浸け置きＢブロックにおけるパルセータの停止時間は浸け置きＣブロックにおけるパルセータの停止時間以下である。
【００１６】
更に、１回目の洗浄過程の前に、洗濯機が浸け置き過程を実行するよう制御する。
【００１７】
更に、前記制御方法は、Ｓ２０１：洗濯機を起動して洗浄プログラムを開始し、累計値ｍを１に初期化するステップと、Ｓ２０２：洗濯機がｍ回目の浸け置き過程に入るよう制御し、ｍ回目の浸け置き過程が完了するとステップＳ２０３を実行するステップと、  Ｓ２０３：洗濯機がｍ回目の洗浄過程に入るよう制御し、ｍ回目の洗浄過程が完了するとステップＳ２０４を実行するステップと、Ｓ２０４：累計値ｍが所定の値に等しいか否かを判断し、等しくない場合には累計値ｍを１回インクリメントして再びステップＳ２０２又はステップＳ２０３を実行し、等しい場合には洗濯機の洗浄プログラムを完了して次のプログラムに入るステップ、を含む。
【発明の効果】
【００１８】
上記の技術方案を用いることで、本発明は従来技術と比較して以下のような有益な効果を有する。
【００１９】
本発明では、洗浄過程の後に浸け置き処理を実行することで、洗浄過程において相対的に長い回転及び洗浄時間を経るため、洗濯機の内槽上層における負荷に対し浸け置きの役割が効果的に発揮される。また、限られた時間の中で、負荷は上下に交互に反転して洗剤及び水と融合するため、負荷の汚れが洗剤及び水と反応し、汚れが効果的に溶解する。その結果、浸け置き過程の役割が効果的に発揮され、洗浄率が向上する。且つ、洗濯機は洗浄率及び消費電力量双方の要求を同時に満たすことが可能となる。よって、従来の洗濯機は洗浄率と消費電力量のいずれかしか満たせないとの技術的課題が解決される。
【００２０】
以下に、図面を組み合わせて本発明の具体的実施形態につき更に詳細に述べる。
【００２１】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２２】
【図１】図１は、従来の洗濯機の運転フローである。
【図２】図２は、本発明の実施例における洗濯機の制御方法のフローチャートである。
【図３】図３は、本発明の実施例における洗濯機の運転フローである。
【図４】図４は、本発明の実施例における他の洗濯機の制御方法のフローチャートである。
【発明を実施するための形態】
【００２３】
なお、これらの図面及び文字記載は何らかの方式で本発明の構想の範囲を制限するとの意図ではなく、特定の実施例を参照して当業者に本発明の概念を説明するためのものである。
【００２４】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００２５】
本発明の記載において、「上」、「下」、「前」、「後」、「左」、「右」、「垂直」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されることを明示又は暗示するものではない。よって、本発明を制限するものと理解すべきではない。
【００２６】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００２７】
従来の洗濯機の運転フローを示す図１を参照する。
【００２８】
従来の洗濯機は、洗浄過程の前に浸け置き過程を実行する。該浸け置き過程の時間は最長で３０分である。通常、浸け置き過程は複数の方式を組み合わせて行うか、同一の方式を複数回実行する。例えば、洗浄過程に先立ち、３０分の浸け置きを持続させる。通常、浸け置き過程は、浸け置きＡブロック＋浸け置きＢブロック＋浸け置きＣブロック＋浸け置きＣブロックで実行する（浸け置きＡブロック＋浸け置きＢブロック＋浸け置きＣブロック＋浸け置きＣブロックの合計時間が３０分となる）。浸け置きＡブロックでは、洗濯機を２分回転させてから３分停止させる。浸け置きＢブロックでは、洗濯機を１分回転させてから４分停止させる。浸け置きＣブロックでは、洗濯機を１分回転させてから９分停止させる。又は、浸け置き過程は、浸け置きＣブロック＋浸け置きＣブロック＋浸け置きＣブロックで実行してもよい（浸け置きＣブロック＋浸け置きＣブロック＋浸け置きＣブロックの合計時間が３０分となる）。このような浸け置き過程は洗浄過程の前に実施されるが、短い浸け置き過程では洗濯機の回転時間が短いことから、洗濯機の内槽上層における負荷は反転が困難ないしは不可能であり、浸け置き効果に劣る。その結果、洗濯機全体の洗浄率が影響を受け、浸け置き過程の役割を最大限発揮させることができない。且つ、限られた時間内では、負荷を洗剤及び水と融合させることが不可能である。そのため、同じ洗浄率を達成するためには、一般的に洗浄時間を延長するか洗浄の水流を増加することで洗浄率を向上させるが、この場合には洗濯機の消費電力量が増加する。
【００２９】
図１〜図５に示すように、本発明は洗濯機の制御方法を提供する。洗濯機の洗浄プログラムは洗浄過程と浸け置き過程を含む。洗浄プログラムは、それぞれ１回目の洗浄過程、２回目の洗浄過程、…ｎ回目の洗浄過程（ｎ≧２）というように、少なくとも２回の洗浄過程を含む。また、隣り合う洗浄過程の間に浸け置き過程を１回実行する。即ち、洗浄過程の運転が完了する度に浸け置き過程を１回実行してから、次のプログラムを実行する。本発明では、洗浄過程の後に浸け置き処理を実行することで、洗浄過程において相対的に長い回転及び洗浄時間を経るため、洗濯機の内槽上層における負荷に対し浸け置きの役割が効果的に発揮される。また、限られた時間の中で、負荷は上下に交互に反転して洗剤及び水と融合するため、負荷の汚れが洗剤及び水と反応し、汚れが効果的に溶解する。これにより、浸け置き過程の役割が効果的に発揮され、洗浄率が向上する。
【００３０】
洗浄過程では、洗濯機が少なくとも高洗浄回転数となる速度で回転し、及び／又は、中洗浄回転数となる速度で回転し、及び／又は、低洗浄回転数となる速度で回転するよう制御する。これにより、洗濯機内の負荷を絶えず転動させて十分に洗剤と接触させられるため、洗浄効率が向上する。
【実施例１】
【００３１】
本発明の実施例は、洗濯機の制御方法を提供する。前記制御方法の洗浄プログラムは少なくとも２回の洗浄過程を含み、隣り合う洗浄過程の間に浸け置き過程を１回実行する。
【００３２】
洗浄過程とは、洗濯機が所定の時間内において持続的に絶えず回転し、衣類を揉み洗いする過程と定義する。また、浸け置き過程とは、一定の回転停止比（洗濯機の回転時間と停止時間の数値の比）を有し、洗濯機の回転と非回転を組み合わせる過程と定義する。通常、浸け置き過程では、洗濯機の回転時間を停止時間よりも短く設定することで、浸け置き過程を十分に利用して洗濯機内の負荷を浸け置き処理する。前記負荷とは、衣服、ズボン、タオル、布団カバー等の洗浄処理を要する物品と解釈すればよい。
【００３３】
洗濯機の浸け置き過程は複数の水流強度で構成される。前記水流強度は、モータの回転数、及び／又はパルセータの回転停止比に基づいて調整する。浸け置き過程では、まず、洗濯機が中洗浄回転数となる速度で回転するよう制御してから、洗濯機が回転を停止するよう制御すればよい。これにより、洗浄過程で洗浄処理された負荷が更に浸け置き過程でも回転するため、衣類がより良好に洗浄処理される。続いて、洗濯機の回転過程を停止して、負荷としての衣類を内槽内に浸け置いたまま停留させる。これにより、負荷としての衣類に残った汚れが水中に溶け込むため、負荷としての衣類の洗浄率が大幅に向上する。
【００３４】
本発明における洗濯機の制御方法のフローチャートである図２に示すように、本実施例において、洗濯機の制御方法は以下のステップを含む。
【００３５】
Ｓ１０１：洗濯機を起動して洗浄プログラムを開始し、累計値ｎを１に初期化する。
【００３６】
Ｓ１０２：洗濯機がｎ回目の洗浄過程に入るよう制御し、ｎ回目の洗浄過程が完了するとステップＳ１０３を実行する。
【００３７】
Ｓ１０３：洗濯機がｎ回目の浸け置き過程に入るよう制御し、ｎ回目の浸け置き過程が完了するとステップＳ１０４を実行する。
【００３８】
Ｓ１０４：累計値ｎが所定の値に等しいか否かを判断し、等しくない場合には累計値ｎを１回インクリメントして再びステップＳ１０２を実行する。一方、等しい場合には洗濯機の洗浄プログラムを完了し、次のプログラムに入る。
【００３９】
上記の技術方案では、洗濯機の洗浄プログラムを開始し、給水過程が完了すると、洗濯機はまず所定の時間の洗浄過程に入る。これにより、相対的に長い洗浄時間を経るため、洗濯機の内槽上層における負荷が効果的に反転可能になり、洗濯機の内槽上層の負荷と下層の負荷とが交互に反転して洗浄される。その結果、洗濯機の内槽内の負荷が十分に洗剤及び水と接触可能となり、次の浸け置き過程における条件が整う。
【００４０】
続いて、所定の時間の浸け置き過程に入る。通常、該所定の時間とは最長で３０分である。浸け置き過程は同一の浸け置き方式を複数回実行してもよいし、異なる浸け置き方式を組み合わせて実行してもよい。これにより、洗剤及び水と十分に接触した負荷が、浸け置き過程において更に洗剤及び水と融合可能となるため、負荷の汚れが効果的に溶解される。その結果、浸け置き過程の役割が効果的に発揮され、洗浄率が向上する。且つ、洗濯機は、洗浄率及び消費電力量双方の要求を同時に満たすことが可能となる。
【００４１】
更に、前記浸け置き過程は、浸け置きＡブロック、浸け置きＢブロック及び浸け置きＣブロックのうちの１つ又はこれらの任意の組み合わせとする。浸け置きＡブロック、浸け置きＢブロック及び浸け置きＣブロックは、順次又は任意の順序で実行される。例えば、浸け置き過程は、浸け置きＡブロック又は浸け置きＢブロック又は浸け置きＣブロックのみとしてもよいし、浸け置きＡブロックと浸け置きＢブロックの組み合わせ、或いは、浸け置きＡブロックと浸け置きＣブロックの組み合わせとしてもよい。また、言うまでもなく、浸け置き過程は、浸け置きＡブロック、浸け置きＢブロック及び浸け置きＣブロック３つの組み合わせとしてもよい。具体的にどのような浸け置き過程とするかは、実際のニーズに基づいて決定すればよい。
【００４２】
浸け置きＡブロック、浸け置きＢブロック及び浸け置きＣブロックは、それぞれ異なる回転停止比を有する。更に、浸け置きＡブロック、浸け置きＢブロック、浸け置きＣブロックの水流強度が次第に低下傾向となるよう、前記浸け置きＡブロックの回転停止比＞浸け置きＢブロックの回転停止比＞浸け置きＣブロックの回転停止比とする。
【００４３】
更に、浸け置きＡブロック、浸け置きＢブロック、浸け置きＣブロックの回転停止比をそれぞれＴ１、Ｔ２、Ｔ３とすると、Ｔ１、Ｔ２、Ｔ３は互いに異なっている。浸け置きＡブロックにおけるパルセータの回転時間は浸け置きＢブロックにおけるパルセータの回転時間以上であり、浸け置きＡブロックにおけるパルセータの停止時間は浸け置きＢブロックにおけるパルセータの停止時間以下である。
【００４４】
好ましくは、前記浸け置きＡの回転停止比を２：３、前記浸け置きＢの回転停止比を１：４、前記浸け置きＣの回転停止比を１：９とする。具体的に、浸け置きＡブロックでは、洗濯機を２分回転させてから３分停止させ、浸け置きＢブロックでは、洗濯機を１分回転させてから４分停止させ、浸け置きＣブロックでは、洗濯機を１分回転させてから９分停止させる。なお、ここでの各時間設定は好ましい実施例であって、本発明における制御方法の時間設定を制限するものではない。具体的な時間配分は、具体的な洗濯機の容量やパルセータの性質及び洗濯する衣類の属性に基づき調整する。
【実施例２】
【００４５】
本実施例は上記の実施例１を更に限定し、前記洗濯機の制御方法における洗浄プログラムが３回の洗浄過程を含む。本実施例において、洗浄過程は、１回目の洗浄過程、２回目の洗浄過程及び３回目の洗浄過程を含む。洗浄過程では、洗濯機が少なくとも高洗浄回転数となる速度で回転し、及び／又は、中洗浄回転数となる速度で回転し、及び／又は、低洗浄回転数となる速度で回転するよう制御する。これにより、洗濯機の内槽内における負荷としての衣類は、洗濯機の止まることのない持続的な回転によって内槽内の水及び洗剤と十分に接触し、初歩的な洗浄効果を得る。例えば、洗濯機は、まず高洗浄回転数で回転してから中洗浄回転数で回転し、最後に低洗浄回転数で回転する。或いは、洗濯機の洗浄回転数は、低速運転から高速運転に変化してもよい。具体的にどのような方式とするかは、洗濯機の容量やパルセータの性質及び負荷の属性に基づいて設定する。これにより、負荷としての衣類は適切な動力の下できれいに洗浄され、且つ電気エネルギーを過剰に消費することがない。その結果、洗濯機は、洗浄率及び消費電力量双方の要求を同時に満たすことになる。
【００４６】
本実施例において、１回目の洗浄過程では、洗剤及び／又は粉末洗剤が速やかに溶解して内槽内の負荷と十分に接触するよう、洗濯機が高洗浄回転数となる速度で回転するよう制御する。また、２回目の洗浄過程では、洗濯機が中洗浄回転数となる速度で回転するよう制御し、３回目の洗浄過程では、洗濯機が低洗浄回転数となる速度で回転するよう制御する。
【００４７】
本実施例における洗濯機の運転フローを示す図３を参照する。
【００４８】
本実施例では、洗浄プログラムの開始後に、通常は１分間の給水過程を経てから、洗濯機が自動的に１回目の洗浄過程に入る。また、本実施例では、パルセータが止まることなく持続的に回転する過程において洗浄槽内の負荷が洗剤及び水と十分に接触及び融合するよう、１回目の洗浄過程を５分間継続した後、１回目の浸け置き過程に入る。１回目の浸け置き過程は浸け置きＣブロックとする。このように、洗浄過程と浸け置き過程を所定の回数だけ繰り返し実行した後、洗濯機は平衡過程に入る。そして、短い平衡過程の後に次のすすぎプログラムに入る。本実施例において、すすぎプログラムはシャワーすすぎである。最後に、洗濯機は脱水プログラムに入る。
【００４９】
また、１回目の浸け置き過程、２回目の浸け置き過程及び３回目の浸け置き過程は、浸け置きＡブロックと浸け置きＢブロックを合わせて構成し、浸け置きＡブロックと浸け置きＢブロックを任意の順序で実行してもよい。なお、本発明の浸け置き過程はここで列挙した組み合わせ方式に限らない。ここで列挙した組み合わせ方式は本発明の好ましい実施形態を示すためのものにすぎず、本発明における浸け置き過程を限定するものではない。
【実施例３】
【００５０】
本実施例は、洗濯機が１回目の洗浄過程を実行する前に浸け置き過程を実行するよう制御するとの点において上記実施例１とは異なる。
【００５１】
図４に示すように、本実施例において、前記制御方法は以下のステップを含む。
【００５２】
Ｓ２０１：洗濯機を起動して洗浄プログラムを開始し、累計値ｍを１に初期化する。
【００５３】
Ｓ２０２：洗濯機がｍ回目の浸け置き過程に入るよう制御し、ｍ回目の浸け置き過程が完了するとステップＳ２０３を実行する。
【００５４】
Ｓ２０３：洗濯機がｍ回目の洗浄過程に入るよう制御し、ｍ回目の洗浄過程が完了するとステップＳ２０４を実行する。
【００５５】
Ｓ２０４：累計値ｍが所定の値に等しいか否かを判断し、等しくない場合には累計値ｍを１回インクリメントして再びステップＳ２０２又はステップＳ２０３を実行する。一方、等しい場合には洗濯機の洗浄プログラムを完了し、次のプログラムに入る。
【００５６】
上記の技術方案では、２以上の累計値ｍを１に初期化し、洗濯機の洗浄プログラムを開始した後、少なくとも２回の浸け置き過程を実行する。また、隣り合う浸け置き過程の間に１回の洗浄過程を実行する。
【００５７】
洗濯機の１回目の浸け置き過程は、浸け置きＡブロックと浸け置きＢブロックの組み合わせとし、浸け置きＡブロックと浸け置きＢブロックを任意の順序で実行する。また、２回目の浸け置き過程は浸け置きＣブロックとする。或いは、１回目の浸け置き過程と２回目の浸け置き過程は、いずれも浸け置きＡブロック、浸け置きＢブロック及び浸け置きＣブロックを合わせて構成する。なお、その他の組み合わせ方式としてもよいことは言うまでもない。ここで列挙した組み合わせ方式は本実施例の好ましい方式にすぎず、本発明による保護の範囲を限定するものではない。
【００５８】
本実施例では、洗浄プログラムの開始後に、通常は１分間の給水過程を経てから、洗濯機がまず自動的に一定時間の１回目の浸け置き過程に入る。その後、洗濯機は自動的に洗浄過程に入り、洗浄槽内の負荷を洗剤及び水と十分に接触及び融合させてから、２回目の浸け置き過程に入る。そして、最後に次のプログラムに入る。このほか、洗濯機には濁度センサを設置してもよい。該濁度センサは負荷としての衣類の清浄度をリアルタイム検知する。清浄度が所定の閾値に達していない場合には洗浄が十分でないことを意味するため、所定の閾値を満たすため洗浄を引き続き実行する必要がある。このときには、洗濯機が所定の清浄度を満たすまでステップＳ２０２〜Ｓ２０４を実行するよう制御する。
【００５９】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【図１】
2020508104.tif 000003
【図２】
2020508104.tif 000004
【図３】
2020508104.tif 000005
【図４】
2020508104.tif 000006
【国際調査報告】
2020508104.tif 000007
2020508104.tif 000008
2020508104.tif 000009
2020508104.tif 000010
2020508104.tif 000011
2020508104.tif 000012